(57)【特許請求の範囲】
【請求項１】
ベース部と、前記ベース部の後面側の端部に設けられた軸を支点として前記ベース部に対し開閉自在な開閉部と、前記開閉部から後方に突出した一対の突出部を軸受けとして前記開閉部に対して回動可能に軸支されて前記開閉部の後面側に取り付けられ、前記開閉部を開いたとき前記突出部と共に後方に移動するとともに前記開閉部に対して前記突出部を軸として前記開閉部の開く方向とは逆の方向に回動する記録紙トレーと、を具備することを特徴とする画像記録装置。
【請求項２】
読取手段を有するベース部と、上面に操作パネルを有し閉位置において前記ベース部との間に紙の搬送路を形成するとともに前記ベース部の後面側の端部に設けられた軸を支点として前記ベース部に対し開閉自在な開閉部と、前記開閉部から後方に突出した一対の突出部を軸受けとして前記開閉部に対して回動可能に軸支されて前記開閉部の後面側に取り付けられ、前記開閉部を開いたとき後方に移動する前記突出部に連動して後方に移動するとともに前記開閉部に対して前記突出部を軸として前記開閉部の開く方向とは逆の方向に回動して装置設置面に略垂直な状態に移動する記録紙トレーと、を具備することを特徴とする画像記録装置。
【発明の詳細な説明】
【０００１】
【発明の属する技術分野】
本発明は、画像記録装置に関し、特に、装置内部に供給される記録紙を載置するための記録紙トレーを具備する画像記録装置に関する。
【０００２】
【従来の技術】
近年、家庭用のファクシミリ装置が普及してきている。この種のファクシミリ装置は、装置後方に記録紙トレーを具備し、この記録紙トレーから装置内部に記録紙を供給している。また、この種のファクシミリ装置は、操作パネル等が表面に配置された開閉部を開くことにより、装置内部のインクリボンの交換等を行うことができるようになっている。
【０００３】
【発明が解決しようとする課題】
しかしながら、このようなファクシミリ装置において、記録紙トレーは、開閉部の内側で装置本体に取り付けられ、わずかな範囲で揺動可能な構成に設けられている。また、インクリボン等の交換のために開閉部を開く場合には、この開閉部の開閉動作に連動して記録紙トレーも装置の後面側に移動する。
【０００４】
このため、装置本体を壁際に設置した場合には、開閉部を開くと記録紙トレーが壁に接触してしまい開閉部を十分に開くことができない場合が生ずる。そして、開閉部を開くためには、装置本体を手前に引いてから開閉部を開くか、または、記録紙トレーを取り外してから開閉部を開かなければならず、操作性が悪くなるという問題がある。一方、最初から記録紙トレーの移動を考慮して装置本体の設置面積を取る場合には、設置面積が大きくなってしまうという問題がある。
【０００５】
本発明はかかる点に鑑みてなされたものであり、記録紙トレーを取り付けたままで開閉部を開いた場合でも装置の設置面積を大きくすることなく、操作性に優れた画像記録装置を提供することを目的とする。
【０００６】
【課題を解決するための手段】
本発明は、ベース部と、前記ベース部の後面側の端部に設けられた軸を支点として前記ベース部に対し開閉自在な開閉部と、前記開閉部から後方に突出した一対の突出部を軸受けとして前記開閉部に対して回動可能に軸支されて前記開閉部の後面側に取り付けられ、前記開閉部を開いたとき前記突出部と共に後方に移動するとともに前記開閉部に対して前記突出部を軸として前記開閉部の開く方向とは逆の方向に回動する記録紙トレーと、を具備する構成としたものである。
【０００７】
この構成により、装置本体から外側に突出した軸受け部を支点として記録紙トレーが回動するので、記録紙トレーと開閉部との干渉が防止され、記録紙トレーの回動範囲を広くすることができる。
【０００８】
【発明の実施の形態】
本発明の第１の態様に係る画像記録装置は、ベース部と、前記ベース部の後面側の端部に設けられた軸を支点として前記ベース部に対し開閉自在な開閉部と、前記開閉部から後方に突出した一対の突出部を軸受けとして前記開閉部に対して回動可能に軸支されて前記開閉部の後面側に取り付けられ、前記開閉部を開いたとき前記突出部と共に後方に移動するとともに前記開閉部に対して前記突出部を軸として前記開閉部の開く方向とは逆の方向に回動する記録紙トレーと、を具備する構成を採る。
本発明の第２の態様に係る画像記録装置は、読取手段を有するベース部と、上面に操作パネルを有し閉位置において前記ベース部との間に紙の搬送路を形成するとともに前記ベース部の後面側の端部に設けられた軸を支点として前記ベース部に対し開閉自在な開閉部と、前記開閉部から後方に突出した一対の突出部を軸受けとして前記開閉部に対して回動可能に軸支されて前記開閉部の後面側に取り付けられ、前記開閉部を開いたとき後方に移動する前記突出部に連動して後方に移動するとともに前記開閉部に対して前記突出部を軸として前記開閉部の開く方向とは逆の方向に回動して装置設置面に略垂直な状態に移動する記録紙トレーと、を具備する構成を採る。
【０００９】
これらの構成によれば、装置本体のベース部の背面部近傍を支点にして開閉する開閉部から突出した突出部に設けられた軸を支点として開閉部に対し記録紙トレーが回動するため、記録紙トレーの回動範囲が広くなって記録紙トレーを取り付けたままでも開閉部と干渉することがなく、装置の設置面積を大きくしなくても記録紙トレーを取り付けたままで開閉部を開くことができる。
【００１０】
例えば、装置本体の背面に壁が配置されるように設置して開閉部を開く場合、記録紙トレーの回動範囲が広くなっているので、記録紙トレーが壁に接触した状態で開閉部を開くことができる。これにより、設置面積を大きくすることなく、また、装置本体を手前に引いて開閉部を開く等の操作を必要としないので、操作性に優れた画像記録装置を実現することができる。
【００１３】
以下、本発明の一実施の形態について、図面を参照して詳細に説明する。
【００１４】
図１は、本実施の形態にかかるファクシミリ装置の斜視図である。図１において、下方を本ファクシミリ装置の前面とし、上方を本ファクシミリ装置の後面とする。
【００１５】
図１に示すファクシミリ装置１００は、ファクシミリ送信書面の読取機能等を有するベース部１０１とこのベース部１０１に対して開閉自在な構成に設けられている開閉部１０２とから構成されている。開閉部１０２を閉じている場合、本ファクシミリ装置１００の内部において、ベース部１０１と開閉部１０２との間に記録紙の搬送路が形成される。また、本ファクシミリ装置１００において、インクリボンの交換や紙詰まりした記録紙の除去等は、開閉部１０２を開いて行われる。
【００１６】
開閉部１０２の上面には、ダイヤルキー１０３、表示部１０４、電話帳ダイヤル１０５等が配置された操作パネル１０６が設けられている。本ファクシミリ装置１００の操作は、ユーザからこの操作パネル１０６によって指示される。
【００１７】
本ファクシミリ装置１００の前面にハンドスキャナ１０７が格納されている。このハンドスキャナ１０７は、ベース部１０１に対して取り外し可能な構成になっている。
【００１８】
また、本ファクシミリ装置１００の後面に記録紙トレー１０８が設けられている。記録紙トレー１０８は、開閉部１０２に対して回動可能に軸支されている。記録紙トレー１０８には記録紙が載置され、ファクシミリ受信する場合に記録紙が１枚づつ装置内部に引き込まれる。
【００１９】
さらに、本ファクシミリ装置１００の一方の側面に、図示しないハンドセットが載置されるハンドセット台１０９が設けられ、他方の側面に他の通信装置と電波による通信を行うためのアンテナ１１０が設けられている。
【００２０】
図２、図３に本ファクシミリ装置１００を後面側から見た斜視図を示す。図２は本ファクシミリ装置１００に対して記録紙トレー１０８を取り付ける前の斜視図であり、図３は記録紙トレー１０８を取り付けた場合の斜視図である。
【００２１】
図２に示すように、本ファクシミリ装置１００は、開閉部１０２の後面側に記録紙トレー１０８を取り付けるための一対のヒンジ部２０１が設けられている。この一対のヒンジ部２０１の間隔は、ちょうど記録紙トレー１０８の幅に合う間隔に設定されている。また、このヒンジ部２０１の後面側の端部は、開閉部１０２から後方に突出している。以下において、この開閉部１０２から突出した端部を突出部２０２という。これらの突出部２０２には、それぞれ穴部２０３が設けられている。これらの穴部２０３は、後述する記録紙トレー１０８に設けられた突起部を軸支する軸受けとして機能する。
【００２２】
一方、記録紙トレー１０８の側面には、図示するように、記録紙トレー１０８の下端部からわずかに上方に一対の突起部２０４が設けられている。これらの突起部２０４は、突出部２０２に設けられた穴部２０３にそれぞれ嵌め込み可能な形状に設けられている。これらの突起部２０４を突出部２０２の穴部２０３に嵌め込むことにより、図３に示すように、記録紙トレー１０８が本ファクシミリ装置１００に取り付けられる。このように取り付けられた記録紙トレー１０８は、これらの突起部２０４を支点として、所定区間を回動可能となる。
【００２３】
このように開閉部１０２から突出した突出部２０２に嵌め込まれた突起部２０４を支点として回動可能な構成にしているので、開閉部の内側で記録紙トレー１０８を取り付けていた従来のファクシミリ装置に比べて、記録紙トレー１０８と開閉部１０２との干渉が防止されるので、記録紙トレー１０８の回動可能な範囲を広くすることができる。
【００２４】
図４（ａ）は、本ファクシミリ装置１００の側面図であり、図４（ｂ）は、開閉部１０２に設けられた突出部２０２周辺の拡大図である。図４において、本ファクシミリ装置１００は、開閉部１０２が閉じられた状態になっており、この状態で後面側の壁に記録紙トレー１０８が接触しない位置に設置されている。このとき、記録紙トレー１０８の下端部は、ベース部１０１のわずかに内側に入り込んだ状態となっている。
【００２５】
図４に示すように、開閉部１０２は、図中破線で示す受信フレーム４０１と操作パネル１０６とから構成されている。具体的には、受信フレーム４０１に操作パネル１０６を被せて開閉部１０２が設けられている。また、受信フレーム４０１は、開閉部１０２を閉じた場合にベース部１０１に入り込む形状になっており、そのベース部１０１に入り込む部分の所定位置に記録紙を搬送するための搬送ローラ等が取り付けられている。
【００２６】
上述した記録紙トレー１０８を本ファクシミリ装置１００に取り付けるためのヒンジ部２０１は、この受信フレーム４０１の一部で構成されている。したがって、受信フレーム４０１のうち、開閉部１０２から装置の後面側に突出した一部がヒンジ部２０１の突出部２０２を形成している。
【００２７】
受信フレーム４０１のうち、ベース部１０１に入り込んだ部分の後面側の端部に軸４０２が貫通している。この軸４０２は、ベース部１０１の所定位置で回転自在に軸受けされている。これにより、開閉部１０２は、この軸４０２を支点として開閉可能になっている。
【００２８】
次に、上記構成を有するファクシミリ装置１００において、開閉部１０２を開く場合の動作について説明する。
【００２９】
図４に示す開閉部１０２が閉じた状態からユーザによって、開閉部１０２を半分まで開くと、本ファクシミリ装置１００は、図５（ａ）、（ｂ）に示すような状態になる。図５（ａ）は開閉部１０２を半分まで開いた状態を示す側面図であり、図５（ｂ）は突出部２０２周辺の拡大図である。
【００３０】
図５に示すように、開閉部１０２を半分まで開くと、この開閉部１０２の開閉動作に連動して突出部２０２が装置の後面側に移動する。記録紙トレー１０８は、この突出部２０２に取り付けられているため、記録紙トレー１０８も同様に装置の後面側に移動する。このとき、記録紙トレー１０８の下端部は、図５に示すように、ベース部１０１の内側から装置の外部に移動する。また、記録紙トレー１０８の上端部は、後面側の壁に接触する。これにより、記録紙トレー１０８の上端部が突起部２０４を支点として図中矢印Ａ方向に回動する。
【００３１】
さらにユーザによって、開閉部１０２を完全に開くと、本ファクシミリ装置１００は、図６（ａ）、（ｂ）に示すような状態になる。図６（ａ）は開閉部１０２を完全に開いた状態を示す側面図であり、図６（ｂ）は開閉部１０２に設けられた突出部２０３周辺の拡大図である。
【００３２】
図６に示すように、開閉部１０２を完全に開くと、突出部２０２がさらに装置の後面側に移動する。これに連動して記録紙トレー１０８も装置の後面側に移動する。このとき、記録紙トレー１０８の下端部は、図６に示すように、ベース部１０１の内側から完全に装置の外部に移動し、記録紙トレー１０８は、記録紙トレー１０８の背面が装置の後面側の壁のすぐ手前に配置される位置まで移動する。また、記録紙トレー１０８の上端部は、さらに突起部２０４を支点として図中矢印Ａ方向に回動する。このとき、記録紙トレー１０８は、装置の設置面に略垂直な状態となっている。したがって、装置本体を壁際に設置した場合でも記録紙トレー１０８を取り付けたまま開閉部１０２を完全に開くことができる。
【００３３】
このように本実施の形態のファクシミリ装置１００によれば、本ファクシミリ装置１００を壁際に設置した場合に開閉部１０２を開くと、記録紙トレー１０８が装置の後面側の壁に接触し、突起部２０４を支点として回転する。このとき、突起部２０４は、開閉部１０２の後面側に突出する突出部２０２の穴部２０３に嵌め込まれているので、開閉部の内側で記録紙トレー１０８を取り付けていた従来のファクシミリ装置と異なり記録紙トレー１０８に干渉するものがないため、記録紙トレー１０８の回動範囲を広くすることができる。これにより、設置面積を大きくすることなく、また、本ファクシミリ装置を手前に引いて開閉部１０２を開く等の操作を必要としないので、操作性に優れたファクシミリ装置を実現することができる。
【００３４】
なお、本実施の形態では、ファクシミリ装置１００について説明しているが、画像記録装置に適用してもよい。このようにした場合には、本実施の形態と同様の効果を画像記録装置において得ることができる。
【００３５】
【発明の効果】
以上説明したように、本発明によれば、開閉部から後面側に突出した突出部に嵌め込まれた突起部を支点として記録紙トレーを回動させるようにしているので、記録紙トレーを取り付けたままで開閉部を開いた場合でも装置の設置面積を大きくすることなく、操作性に優れた画像記録装置を提供することができる。
【図面の簡単な説明】
【図１】本発明の一実施の形態に係る画像通信装置を前面側から見た斜視図
【図２】上記実施の形態に係る画像通信装置を後面側から見た斜視図
【図３】上記実施の形態に係る画像通信装置を後面側から見た斜視図
【図４】（ａ）上記実施の形態に係る画像通信装置の開閉部を閉じた場合の側面図
（ｂ）上記実施の形態に係る画像通信装置の突出部周辺の拡大図
【図５】（ａ）上記実施の形態に係る画像通信装置の開閉部を半分まで開いた場合の側面図
（ｂ）上記実施の形態に係る画像通信装置の突出部周辺の拡大図
【図６】（ａ）上記実施の形態に係る画像通信装置の開閉部を完全に開いた場合の側面図
（ｂ）上記実施の形態に係る画像通信装置の突出部周辺の拡大図
【符号の説明】
１００  ファクシミリ装置
１０１  ベース部
１０２  開閉部
１０６  操作パネル
１０８  記録紙トレー
２０１  ヒンジ部
２０２  突出部
２０３  穴部
２０４  突起部
４０１  受信フレーム
４０２  軸
【図１】
0004146587.tif 000002
【図２】
0004146587.tif 000003
【図３】
0004146587.tif 000004
【図４】
0004146587.tif 000005
【図５】
0004146587.tif 000006
【図６】
0004146587.tif 000007